(57)【要約】【課題】  ドライヤーの吹き出し口部分に取り付けるだけで、簡単にドライヤーとして利用することができ、また携帯性にも優れたドライヤーカバーを提供する。【解決手段】  ドライヤーカバー１は、シリコンなどの軟性材料に作られた平板状をしており、その中間部には熱風の逃げ口となる穴１１が形成されている。持ち運ぶ際には、板状のまま、又は折り畳んだり、丸めたりして運ぶことができる。使用時には、ドライヤーカバー１をドライヤーの吹き出し口に巻き付けて、その先端部に衣類などを当ててしわをのばすアイロンのように使うことができる。【選択図】図１
0003211647.tif 000002
【実用新案登録請求の範囲】
【請求項１】
軟性材料により作られた平板状に形成されており、ドライヤーの吹き出し口に巻き付け可能に構成されている、
ことを特徴とするドライヤーカバー。
【請求項２】
上記平板状の中央部には、上記ドライヤーの熱風が抜けるための穴が形成されている、
請求項１記載のドライヤーカバー。
【請求項３】
上記板状の両端部には、係止部材が取付られている、
請求項１又は２記載のドライヤーカバー。
【請求項４】
上記ドライヤー取付状態で、衣服等との当接面には布が取り付けられるように構成されている、
請求項１〜３のいずれかに記載のドライヤーカバー。
【請求項５】
上記布と上記ドライヤーカバーをドライヤーに取り付けるための輪ゴムをさらに有している、
請求項４記載のドライヤーカバー。
【考案の詳細な説明】
【技術分野】
【０００１】
本考案は、ドライヤーに取り受けるだけで、きれいに衣服を乾燥させ、しわを伸ばすためのアイロンとして利用するのに好適なドライヤーカバーに関する。
【背景技術】
【０００２】
従来から、衣服のしわを伸ばすために様々なアイロンが提案されている。スチーム付きのアイロンや、大型のアイロン、また携帯性に優れ、細やかな整形ができる小型のアイロンなどである。これらのアイロンは、多くは電気アイロンが主流で、電源に接続することで加熱し、加熱した鉄製の鏝部分を衣類に押し当てることで、その熱で衣服を乾燥させ、またしわをのばして整形するようになっている。
一方で、旅先や外出先でアイロンを掛けたい場合などもある。このような場合には、小型のアイロンを持ち歩いて、その場で掛けるようなことが行われている。
このような場合に、簡単に使えるように本願考案者は先に「ドライヤー口アイロンカバー」を提案している。ドライヤー口アイロンカバーは、化学繊維に耐熱加工を施し、多種のドライヤーの吹き出し口に適用するように楕円形又は丸円に施工し、そこに５ｍｍ間隔に直径２ｍｍの丸穴をあけ、その周りに幅３ｃｍ程の伸縮性シリコンテープを施す事で吹き出し口に取り付けたものである（先行特許文献１）。
【先行技術文献】
【特許文献】
【０００３】
【特許文献１】実用新案登録３１９３７４６号公報
【考案の概要】
【考案が解決しようとする課題】
【０００４】
しかし、従来の電気アイロンは、小型とは言ってもこれを持ち運ぶことが大変面倒であった。
また、簡単にアイロンを掛けたい場合でも、鏝部分が過熱するまで待っていなければならず、使うことも面倒であった。
さらに、上述の先行文献記載の考案をより改良して、携帯性に優れ、また簡単に利用できるものが望まれていた。
【０００５】
本考案は上記課題を解決するためになされたものであって、ドライヤーの吹き出し口部分に取り付けるだけで、簡単にドライヤーとして利用することができ、また携帯性にも優れたドライヤーカバーを提供することを目的とする。
【課題を解決するための手段】
【０００６】
本考案の一の観点にかかるドライヤーカバーは、軟性材料により作られた平板状に形成されており、ドライヤーの吹き出し口に巻き付け可能に構成されていることを特徴とする。
【０００７】
上記平板状の中央部には、上記ドライヤーの熱風が抜けるための穴が形成されていてもよい。
【０００８】
上記板状の両端部には、係止部材が取付られていてもよい。
【０００９】
上記ドライヤー取付状態で、衣服等との当接面には布が取り付けられるように構成されていてもよい。
【００１０】
上記布と上記ドライヤーカバーをドライヤーに取り付けるための輪ゴムをさらに有していてもよい。
【考案の効果】
【００１１】
本考案よれば、ドライヤーの吹き出し口部分に取り付けるだけで、簡単にドライヤーとして利用することができ、また携帯性にも優れたドライヤーカバーを提供することができる。
【図面の簡単な説明】
【００１２】
【図１】本実施形態にかかるドライヤーカバーを展開した状態を示した正面図。
【図２】本実施形態にかかるドライヤーカバーを組み立てた状態を示した斜視図。
【図３】本実施形態にかかるドライヤーカバーの使用状態の一例を示した斜視図。
【考案を実施するための形態】
【００１３】
本考案かかる実施形態について図面を参照して説明する、
図１に実施形態にかかるドライヤーカバーの一例を示す。図１において、ドライヤーカバー１は、正面長方形状の薄板状に形成されている。
このドライヤーカバー１は、シリコンなどの樹脂により柔軟性を有する材料により構成されている。
【００１４】
ドライヤーカバー１の両端部の表面及び裏面側には、係止部材としての面テープ１２が取り付けられている。この面テープ１２により、図２に示すようにドライヤーカバー１を円筒状に組み立てて、この状態でその両端を止めることができるようになっている。
なお、この例では、係止部材として、面テープ１２により固定する例について説明したが、一端部に凸部、他端部に凹部を設け、これを係合させて物理的に固定してもよい。
【００１５】
ドライヤーカバー１の中央部には図示しないドライヤーの熱風を逃がすための穴１１が形成されている。本実施形態では、穴１１は三角形状に形成されており、これが向かい合う形でドライヤーカバー１の全面にわたって形成されている。
【００１６】
次に、このドライヤーカバー１の使い方について図面を参照して説明する。
まず、ドライヤーカバー１を持ち運ぶ場合には、図１に示すようにこれを広げた状態で鞄などに中に入れて持ち運ぶ。もちろん、これを折り畳んだり、丸めたりして小さくコンパクトして持ち運んでもよい。
【００１７】
そして、これをドライヤーに取り付けて使用する場合には、図２に示すようにドライヤーカバー１を丸めて両端の面テープ１２で固定して、円筒状にする。
この状態で、図３に示すようにドライヤーの熱風の吹き出し口に取り付ける。取り受ける場合は、ドライヤーカバー１を丸めながら吹き出し口に取り付けてもよいし、またドライヤーカバー１を円筒状に成形してから、その一端開口部を広げて取り付けてもよい。
【００１８】
また、取り付ける場合場合、図３に示すように、ドライヤーの吹き出し口に布２を被せて、それを環状のゴム３で止めるようにしてもよい。これにより、ドライヤーの熱風が均一になり、温度ムラなどを防止できる。
【００１９】
図３の状態でドライヤーのスイッチを入れると、吹き出し口から熱布が吹き出し、それがドライヤーカバー１から吹き出すようになる。
これを衣服に押し当てることで、ドライヤーの熱布により、衣服のしわを伸ばすことができる。
また、衣服に当たった熱風は、ドライヤーカバー１の穴１１から抜けることで、熱風がドライヤーに逆流することで、ドライヤーが故障することを防止できる。
【００２０】
ドライヤーカバー１はシリコンなどの軟性樹脂により作られているため、これを直接衣服に当ても衣服を傷めてしまうことがない。
またドライヤーの吹き出し口にドライヤーカバー１を巻き付けて取り付けるようにしたことから、ドライヤーの吹き出し口の径の大小や、形状が異なっていても、ドライヤーカバー１を巻き付ければよいことから、これらにかかわらず使用することができる。
【００２１】
図３に示すように布を当てることで、アイロンを行う際の当て布と同じ効果を得ることもできるし、またドライヤーの熱も均一にかけることができる。
ドライヤーカバー１を持ち運ぶ場合は、図１のような板状にしたり、またこれを丸めたり、折り曲げたりして、コンパクトな状態にすることができるので、携帯性に優れ、鞄などにいつも入れておいても全く問題なく持ち運ぶことができる。
そして、ドライヤーをアイロン替わりに使うことができるため、取り出してすぐに使うことができるし、また衣服を吊り下げた状態でも簡単に使うことができる。
【００２２】
なお、上述の穴１２の形状などは任意であり、どのような形状であってもよい。
また、ドライヤーカバー１の材料は、軟性の材料であればよく、任意である
【符号の説明】
【００２３】
１      ドライヤーカバー
２      布
３      ゴム
１１    穴
１２    面テープ
【図１】
0003211647.tif 000003
【図２】
0003211647.tif 000004
【図３】
0003211647.tif 000005